(57)【要約】【課題】システム構成が異なる複数の無線アクセスシステムのセルに関しても無線通信端末において効率的に受信レベルの測定を実施し、異なる無線アクセスシステムのセル間においてもハンドオーバーが可能な無線通信システムを提供すること。【解決手段】データベース２０が、複数の異なる無線アクセスシステムが使用する周波数、各セルの識別子および報告閾値を含む無線アクセスシステム情報と、通信適正度を算出するための無線リソース情報とを無線アクセスシステムごとに統一的に管理し、無線リソース管理装置１０が、無線アクセスシステム情報に基づいて無線通信端末４０に各無線アクセスシステムの受信レベルの測定を指示し、無線通信端末４０が測定した受信レベルと無線リソース情報とに基づいて、無線リソース管理装置１０が、各セルの通信適正度を算出してハンドオーバーを行うかを決定する。【選択図】      図１
2004349976.tif 000002
【特許請求の範囲】
【請求項１】
複数の異なる無線アクセスシステムで通信可能な無線リソース管理装置および無線通信端末を備える無線通信システムにおいて、
前記無線通信端末は、
前記無線リソース管理装置から前記複数の異なる無線アクセスシステムの無線アクセスシステム情報を含む測定制御コマンドを受信すると、前記測定制御コマンドに基づいて各セルの受信レベルの測定を測定実施部に指示するとともに、前記測定実施部から通知された受信レベルを含む測定結果レスポンスを前記無線リソース管理装置に送信する無線制御部と、
前記複数の異なる無線アクセスシステムのインタフェースを有し、前記無線制御部からの指示に基づいて各セルの受信レベルを測定して、測定した受信レベルが前記測定制御コマンド内に含まれる報告閾値以上の場合、前記測定した受信レベルを前記無線制御部に通知する複数の測定実施部と、
を備え、
前記無線リソース管理装置は、
前記複数の異なる無線アクセスシステムがそれぞれ使用する周波数、各セルを識別する識別子および報告閾値を含む無線アクセスシステム情報と、前記無線通信端末が使用する無線アクセスシステムを選択する基準となる通信適正度を算出するための無線リソース情報とを前記複数の異なる無線アクセスシステムのセル毎に管理するデータベースと、
前記データベース内の無線システムアクセス情報に基づいて前記無線通信端末に受信レベルの測定を指示する測定制御コマンドを送信するとともに、前記無線通信端末の無線制御部から受信した測定結果レスポンスおよび前記データベース内の無線リソース情報に基づいて、前記異なる複数の無線通信システムのセル毎の通信適正度を算出するリソース管理部と、
前記セル毎の通信適正度を比較して、前記通信端末が現在使用しているセルから他のセルへのハンドオーバーを行うかを決定し、同一無線アクセスシステム内または異なる無線アクセスシステムへのハンドオーバーを制御するハンドオーバー制御部と、
を備えることを特徴とする無線通信システム。
【請求項２】
前記無線リソース情報には、
各無線アクセスシステムのセル毎に、セルの負荷情報、呼の通信品質情報、前記無線通信端末の移動速度とセル領域のサイズ、受信レベル、通信レートおよび平均トラヒックに対してそれぞれに適正度を設定しておき、
前記リソース管理部は、
前記無線リソース情報のそれぞれの適正度に対して前記異なる無線アクセスシステム毎に重み付けを行った後に、それぞれの適正度を加算して通信適正度を算出することを特徴とする請求項１に記載の無線通信システム。
【請求項３】
前記リソース管理部は、
前記複数の異なる無線アクセスシステムのうち、前記無線通信端末が現在使用している無線アクセスシステムを用いて前記測定制御コマンドを送信することを特徴とする請求項１または２に記載の無線通信システム。
【請求項４】
前記リソース管理部は、
前記無線通信端末が使用している無線アクセスシステムが移動体通信システムの場合、制御チャネルを用いて前記測定制御コマンドを送信することを特徴とする請求項３に記載の無線通信システム。
【請求項５】
前記無線制御部は、
前記複数の異なる無線アクセスシステムのうち、現在使用している無線アクセスシステムを用いて前記測定結果レスポンスを送信することを特徴とする請求項１〜４のいずれか一つに記載の無線通信システム。
【請求項６】
前記無線制御部は、
現在使用している無線アクセスシステムが移動体通信システムの場合、制御チャネルを用いて前記測定結果レスポンスを送信することを特徴とする請求項５に記載の無線通信システム。
【請求項７】
複数の異なる無線アクセスシステムを有する無線通信システムで通信可能な無線通信端末のハンドオーバーを制御する無線リソース管理装置であって、
前記無線通信端末が使用する無線アクセスシステムを選択する基準となる通信適正度を算出するための無線リソース情報を前記複数の異なる無線アクセスシステムのセル毎に管理するデータベースと、
前記無線通信端末が測定した受信レベルを含む測定結果レスポンスを前記無線通信端末から受信した場合、前記測定結果レスポンスおよび前記データベース内の無線リソース情報に基づいて、前記異なる複数の無線通信システムのセル毎の通信適正度を算出するリソース管理部と、
前記セル毎の通信適正度を比較して、前記無線通信端末が現在使用しているセルから他のセルへのハンドオーバーを行うかを決定し、同一無線アクセスシステム内または異なる無線アクセスシステムのハンドオーバーを制御するハンドオーバー制御部と、
を備えることを特徴とする無線リソース管理装置。
【請求項８】
前記無線リソース情報には、
各無線アクセスシステムのセル毎に、セルの負荷情報、呼の通信品質情報、前記無線通信端末の移動速度とセル領域のサイズ、受信レベル、通信レートおよび平均トラヒックに対してそれぞれに適正度を設定しておき、
前記リソース管理部は、
前記無線リソース情報のそれぞれの適正度に対して前記異なる無線アクセスシステム毎に重み付けを行った後に、それぞれの適正度を加算して通信適正度を算出することを特徴とする請求項７に記載の無線リソース管理装置。
【請求項９】
前記データベースは、
前記複数の異なる無線アクセスシステムがそれぞれ使用する周波数および各セルを識別する識別子を含む無線アクセスシステム情報を前記複数の異なる無線アクセスシステムのセル毎にさらに管理し、
前記リソース管理部は、
前記無線アクセスシステム情報に基づいて、前記無線通信端末に受信レベルの測定を指示する測定制御コマンドを送信することを特徴とする請求項７または８に記載の無線リソース管理装置。
【請求項１０】
前記リソース管理部は、
前記複数の異なる無線アクセスシステムのうち、前記無線通信端末が現在使用している無線アクセスシステムを用いて前記測定制御コマンドを送信することを特徴とする請求項９に記載の無線リソース管理装置。
【請求項１１】
前記リソース管理部は、
前記無線通信端末が使用している無線アクセスシステムが移動体通信システムの場合、制御チャネルを用いて前記測定制御コマンドを送信することを特徴とする請求項１０に記載の無線リソース管理装置。
【請求項１２】
複数の異なる無線アクセスシステムを有し、これら異なる無線通信アクセスシステムのハンドオーバーを制御する無線リソース管理装置を備える無線通信システムで通信可能な無線通信端末であって、
前記無線リソース管理装置からの測定制御コマンドを受信すると、前記測定制御コマンドに含まれる前記複数の異なる無線アクセスシステムがそれぞれ使用する周波数および各セルを識別する識別子を含む無線アクセスシステム情報に基づいて、各セルの受信レベルの測定を測定実施部に指示するとともに、前記測定実施部から通知された受信レベルを含む測定結果レスポンスを前記リソース管理部に送信する無線制御部と、
前記複数の異なる無線アクセスシステムのインタフェースを有し、前記無線制御部からの指示に基づいて各セルの受信レベルを測定して、測定した受信レベルが前記測定制御コマンド内に含まれる報告閾値以上の場合、前記測定した受信レベルを前記無線制御部に通知する複数の測定実施部と、
を備えることを特徴とする無線通信端末。
【請求項１３】
前記無線制御部は、
前記複数の異なる無線アクセスシステムのうち、現在使用している無線アクセスシステムを用いて前記測定結果レスポンスを送信することを特徴とする請求項１２に記載の無線通信端末。
【請求項１４】
前記無線制御部は、
現在使用している無線アクセスシステムが移動体通信システムの場合、制御チャネルを用いて前記測定結果レスポンスを送信することを特徴とする請求項１３に記載の無線通信端末。
【発明の詳細な説明】
【０００１】
【発明の属する技術分野】
本発明は、無線通信システムにおける無線リソース管理に関するものであり、特に、異なる無線アクセスシステム間におけるハンドオーバー制御に関する無線通信システム、無線リソース管理装置および無線通信端末に関するものである。
【０００２】
【従来の技術】
現在の移動体通信システムは、たとえば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ｃｄｍａＯｎｅ、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）など異なる通信方式を用いている。これらの異なる通信方式の移動体通信システム間のハンドオーバーを制御する第１の従来技術では、無線通信端末が、伝播環境データとそれに対応する移動体通信システムの固有のシステム特性データとに基づいて、各移動体通信システムの通信品質ＱｏＳ（Ｑｕａｌｉｔｙ  ｏｆ  Ｓｅｒｖｉｃｅ）を計算し、計算した通信品質ＱｏＳを現在通信に利用している移動体通システムの基地局に通知する。
【０００３】
通知を受けた基地局は、自局が属する移動体通信システムに関する通信品質ＱｏＳについては、自局が保持するシステム特性データを考慮して、これらの通信品質ＱｏＳを修正する。そして、通知されたすべての通信品質ＱｏＳの値を互いに比較して、各移動体通信システムの通信品質ＱｏＳの大小関係を識別する。識別の結果、無線通信端末が現在利用している移動体通信システムよりも通信品質ＱｏＳが大きな移動体通信システムがある場合には、基地局は、各移動体通信システムの通信品質ＱｏＳの大小関係の順序を移動関門交換機に通知する。
【０００４】
通知を受けた移動関門交換機は、通信品質ＱｏＳが大きい移動体通信システムの移動関門交換機から順に、無線通信端末が現在位置する無線ゾーンの空きチャネルの有無を確認する。確認の結果、空きチャネルがない場合には、通知を受けた移動関門交換機は、つぎに通信品質ＱｏＳが大きい移動体通信システムの移動関門交換機に、無線通信端末が現在位置する無線ゾーンの空きチャネルの有無を確認する動作を繰り返す。確認の結果、空きチャネルがある場合には、通知を受けた移動関門交換機は、空きチャネルのある移動体通信システムを切替え先移動体通信システムに決定する。そして、決定した移動体通信システムの空きチャネルの情報を現在通信中の基地局を介して無線通信端末に通知する。
【０００５】
空きチャネルの情報の通知を受けると、無線通信端末は、現在通信中の移動体通信システムのチャネルから、切替え先の移動体通信システムのチャネルに切替えて、切替え前の移動体通信システムのチャネルを開放するようにしている（たとえば、特許文献１参照）。
【０００６】
また、第２の従来技術では、ネットワーク側が、他の移動体通信システムのセルの情報を報知情報や測定制御メッセージに設定しておき、無線通信端末が、報知情報や測定制御メッセージに設定されている他の移動体通信システムのセルの情報に基づいて、他の移動体通信システムのセルの止まり木チャネルなどを測定して、ネットワークに通知することで、異なる移動体通信システム間のハンドオーバー制御を行うようにしている（たとえば、非特許文献１参照）。
【０００７】
【特許文献１】
特開２００１−５４１６８号公報
【非特許文献１】
３ＧＰＰ  ＴＳ２５．３３１  Ｖ５．２．０  ”Ｒａｄｉｏ  Ｒｅｓｏｕｒｃｅ  Ｃｏｎｔｒｏｌ（ＲＲＣ）  ｐｒｏｔｏｃｏｌ  ｓｐｅｃｉｆｉｃａｔｉｏｎ”  １０．３．７．２７節，１０．３．７．２３節，１０．３．７．２９節
【０００８】
【発明が解決しようとする課題】
しかしながら、上記第１の従来技術では、無線通信端末から通信品質ＱｏＳの通知を受けた基地局は、自局が属する移動体通信システムの通信品質ＱｏＳについてはシステム特性データ考慮した修正を施し、他の移動体通信システムの通信品質についてはシステム特性データを考慮した修正を行わずに通信品質ＱｏＳの大小関係の順序を比較しているため、通信品質ＱｏＳを統一された基準で公平に比較することができないという問題があった。
【０００９】
また、無線通信端末が現在位置する無線ゾーンの空きチャネルを確保できるまで、各移動体通信システムの移動関門交換機に対して順次空きチャネルの有無を確認する必要があるため、ハンドオーバーの実行までに時間がかかるという問題があった。
【００１０】
さらに、基地局が、移動関門交換機に空きチャネルを確認するようにしているため、移動関門交換機を備えていないシステム構成の無線アクセスシステム、たとえば、無線ＬＡＮ（Ｌｏｃａｌ  Ａｒｅａ  Ｎｅｔｗｏｒｋ）などの移動体通信システム以外の無線アクセスシステムとのハンドオーバーには適用できないという問題があった。
【００１１】
さらにまた、音声通信、画像通信やインターネットアクセスといったアプリケーションの属性が考慮されていないため、アプリケーション毎の特性に適した移動体通信システムを選択することができないという問題があった。
【００１２】
また、第２の従来技術では、報知情報や測定制御メッセージには、他の移動体通信システムのセルの情報しか設定されないため、無線ＬＡＮなどの移動体通信システム以外の無線アクセスシステムに関する情報を通知することができないという問題があった。
【００１３】
さらに、無線ＬＡＮなどの移動体通信システム以外の無線アクセスシステムに関する情報を通知することができないため、無線通信端末が現在位置する無線ゾーン内にハンドオーバーが可能な無線ＬＡＮなどの移動体通信システム以外の無線アクセスシステムが存在するか否かに関係なく、無線通信端末は常時測定を行なわなければならないという問題があった。
【００１４】
また、無線通信端末が現在位置する無線ゾーン内にハンドオーバーが可能な無線ＬＡＮなどの移動体通信システム以外の無線アクセスシステムがあった場合でも、その測定結果を無線ＬＡＮなどの移動体通信システム以外の無線アクセスシステムに通知することができないという問題が生じてしまう。
【００１５】
この発明は上記に鑑みてなされたもので、システム構成が異なる複数の無線アクセスシステムのセルに関しても無線通信端末において効率的に受信レベルの測定を実施して、異なる無線アクセスシステムのセル間においてもハンドオーバーが可能な無線通信システム、無線リソース管理装置および無線通信端末を得ることを第１の目的とする。
【００１６】
また、第２の目的は、複数の無線アクセスシステムが存在する環境においても最適な無線アクセスシステムの選択を可能とし、無線アクセスシステム間のハンドオーバー実行時間の短縮が可能な無線通信システム、無線リソース管理装置および無線通信端末を得ることである。
【００１７】
【課題を解決するための手段】
上記目的を達成するために、この発明にかかる無線通信システムは、複数の異なる無線アクセスシステムで通信可能な無線リソース管理装置および無線通信端末を備える無線通信システムにおいて、前記無線通信端末は、前記無線リソース管理装置から前記複数の異なる無線アクセスシステムの無線アクセスシステム情報を含む測定制御コマンドを受信すると、前記測定制御コマンドに基づいて各セルの受信レベルの測定を測定実施部に指示するとともに、前記測定実施部から通知された受信レベルを含む測定結果レスポンスを前記無線リソース管理装置に送信する無線制御部と、前記複数の異なる無線アクセスシステムのインタフェースを有し、前記無線制御部からの指示に基づいて各セルの受信レベルを測定して、測定した受信レベルが前記測定制御コマンド内に含まれる報告閾値以上の場合、前記測定した受信レベルを前記無線制御部に通知する複数の測定実施部とを備え、前記無線リソース管理装置は、前記複数の異なる無線アクセスシステムがそれぞれ使用する周波数、各セルを識別する識別子および報告閾値を含む無線アクセスシステム情報と、前記無線通信端末が使用する無線アクセスシステムを選択する基準となる通信適正度を算出するための無線リソース情報とを前記複数の異なる無線アクセスシステムのセル毎に管理するデータベースと、前記データベース内の無線システムアクセス情報に基づいて前記無線通信端末に受信レベルの測定を指示する測定制御コマンドを送信するとともに、前記無線通信端末の無線制御部から受信した測定結果レスポンスおよび前記データベース内の無線リソース情報に基づいて、前記異なる複数の無線通信システムのセル毎の通信適正度を算出するリソース管理部と、前記セル毎の通信適正度を比較して、前記通信端末が現在使用しているセルから他のセルへのハンドオーバーを行うかを決定し、同一無線アクセスシステム内または異なる無線アクセスシステムへのハンドオーバーを制御するハンドオーバー制御部とを備えることを特徴とする。
【００１８】
この発明によれば、無線リソース管理装置が、システム構成の異なる複数の無線アクセスシステムがそれぞれ使用する周波数、各セルを識別する識別子および報告閾値を含む無線アクセスシステム情報と、無線通信端末が使用する無線アクセスシステムを選択する基準となる通信適正度を算出するための無線リソース情報とを無線アクセスシステムごとに統一的に管理して、無線アクセスシステム情報に基づいて無線通信端末に各無線アクセスシステムのセルの受信レベルの測定を指示し、無線通信端末が測定した受信レベルと無線リソース情報とに基づいて、各セルの通信適正度を算出してハンドオーバーを行うかを決定するようにしている。
【００１９】
【発明の実施の形態】
以下に添付図面を参照して、この発明にかかる無線通信システム、無線リソース管理装置および無線通信端末の好適な実施の形態を詳細に説明する。
【００２０】
図１〜図１７を用いて本発明の実施の形態を説明する。図１は、この発明における本実施の形態の無線通信システムの構成を示すブロック図である。この発明における本実施の形態の無線通信システムは、複数の異なる無線アクセスシステム（この場合は、第１の無線アクセスシステムと第２の無線アクセスシステムと第３の無線アクセスシステム）が混在している。たとえば、第１の無線アクセスシステムは、セル３０−１を通信ゾーンとする基地局３１−１と、セル３０−２を通信ゾーンする基地局３１−２とを有するＷ−ＣＤＭＡの無線アクセスシステムであり、第２の無線アクセスシステムは、セル３２−１を通信ゾーンとする基地局３３−１と、セル３２−２を通信ゾーンとする基地局３３−２とを有するＧＳＭ／ＧＰＲＳの無線アクセスシステムであり、第３の無線アクセスシステムは、セル３４−１を通信ゾーンとする基地局３５−１と、セル３４−２を通信ゾーンとする基地局３５−２とを有する無線ＬＡＮである。各無線アクセスシステムの各基地局３１−１，３１−２，３３−１，３３−２，３５−１，３５−２は、たとえば、ＩＰ（Ｉｎｔｅｒｎｅｔ  Ｐｒｏｔｏｃｏｌ）などの共通のトランスポートネットワーク５０に接続されている。また、トランスポートネットワーク５０には、第１の無線アクセスシステムのセル３０−１，３０−２、第２の無線アクセスシステムのセル３２−１，３２−２および第３の無線アクセスシステムのセル３４−１，３４−２を統一的に管理する無線リソース管理装置１０が接続されている。
【００２１】
無線通信端末４０は、第１の無線アクセスシステム、第２の無線アクセスシステムおよび第３の無線アクセスシステムで通信可能な無線通信端末である。
【００２２】
無線リソース管理装置１０は、無線通信端末４０が測定した各無線アクセスシステムの受信レベルと、データベース２０に記憶されている各無線アクセスシステムの無線リソース情報とに基づいて、ハンドオーバーの制御を行なう。
【００２３】
図２は、図１に示した無線リソース管理装置１０の構成を示すブロック図である。図２に示した無線リソース管理装置１０は、ハンドオーバー制御部１１と、リソース管理部１２と、ネットワークインターフェース部（以下、ネットワークＩ／Ｆ部とする）１３と、データベースインターフェース部（以下、データベースＩ／Ｆ部とする）１４とを備えている。
【００２４】
ネットワークＩ／Ｆ部１３は、トランスポートネットワーク５０とのインタフェース機能を備え、トランスポートネットワーク５０と基地局とを介して、無線通信端末４０と通信を行なう。データベースＩ／Ｆ部１４は、データベース２０とのインタフェース機能を備えている。
【００２５】
リソース管理部１２は、データベースＩ／Ｆ部１４を介してデータベース２０から読み出した無線アクセスシステム情報に基づいて測定制御コマンドを生成し、生成した測定制御コマンドをネットワークＩ／Ｆ部１３を介して無線通信端末４０に送信するとともに、ネットワークＩ／Ｆ部１３を介して無線通信端末４０と通信を行なって得た各無線アクセスシステムの受信レベルと、データベースＩ／Ｆ部１４を介してデータベース２０から読み出した無線リソース情報とに基づいて、各無線アクセスシステムの通信適正度を算出する。
【００２６】
ハンドオーバー制御部１１は、リソース管理部１２が算出した各セル毎の通信適正度を比較して、ハンドオーバーするセルを決定する。そして、決定したセルへのハンドオーバーをネットワークＩ／Ｆ部１３を介して無線通信端末４０に指示し、ハンドオーバー処理を行う。
【００２７】
データベース２０には、無線通信システム内の各無線アクセスシステムのセルの受信レベルの測定を指示する測定制御コマンドを生成するために必要な無線アクセスシステム情報と、通信適正度を算出するために必要な無線リソース情報とが記憶されている。無線アクセスシステム情報には、各無線アクセスシステムが使用している周波数、セルを識別するための識別子および報告閾値を定義する。無線リソース情報には、受信レベル、セルの負荷状況、通信レート、平均トラヒック、ＱｏＳクラス、セルサイズ、セルグループサイズなどの項目ごとに評価指数である適正度を定義する。データベース２０に定義されている無線リソース情報は、リソース管理部１２が通信適正度を算出するための算出式に用いられる。なお、データベース２０は、無線リソース管理装置１０内に備えるようにしてもよい。
【００２８】
受信レベルには、受信レベルに関する適正度を定義する。この場合は、図３に示すように、受信レベルを５段階のランクに分類して、ランクの大きいほうから順に適正度を大きく定義している。
【００２９】
セルの負荷状況は、最大チャネル数に対する設定済みチャネル数の割合、上り許容最大干渉レベルに対する実際の干渉レベル、回線使用率（最大トラヒックに対する平均トラヒックの割合）などを各無線アクセスシステムの定義にしたがって適正度を定義する。この場合は、図４に示すように、セルの負荷を５段階に分割して、負荷が小さいほうから順に適正度を大きく定義している。なお、各セル毎に設定可能な残りの帯域を負荷の代わりに使用してもよい。
【００３０】
通信レートには、無線通信端末４０の最大通信速度に関する適正度を定義する。この場合は、図５に示すように、通信レートを３段階に分類して、各無線アクセスシステムごとに適正度を定義している。
【００３１】
平均トラヒックには、無線通信端末４０の平均トラヒックに関する適正度を定義する。この場合は、図６に示すように、平均トラヒックを３段階に分類して、各無線アクセスシステムごとに適正度を定義している。
【００３２】
ＱｏＳクラスには、無線通信端末４０が通信している呼のＱｏＳに関する適正度を定義する。この場合には、図７に示すように、４つのＱｏＳのクラスに対して各無線アクセスシステムの適正度を定義している。
【００３３】
セルサイズには、セルサイズと無線通信端末４０の移動速度に関する適正度を定義する。この場合には、図８に示すように、各無線アクセスシステムのセルを３段階に分類して、各無線アクセスシステム毎に適正度を定義している。
【００３４】
セルグループサイズには、同一無線アクセスシステムの相互に隣接するセルグループのサイズと無線通信端末４０の移動速度に関する適正度を定義している。この場合には、図９に示すように、同一無線アクセスシステムの相互に隣接するセルグループサイズ（たとえば、セル３０−１とセル３０−１、セル３２−１とセル３２−２、セル３４−１とセル３４−２がカバーする通信ソーン）を３段階に分類して、各無線アクセスシステム毎に適正度を定義している。
【００３５】
図１０は、図１に示した無線通信端末４０のハンドオーバーの処理に関する部分の構成を示すブロック図である。無線通信端末４０は、無線制御部４１と、第１の無線Ｉ／Ｆ部（以下、第１の無線Ｉ／Ｆ部）４２と、第２の無線インタフェース部（以下、第２の無線Ｉ／Ｆ部とする）４３と、第３の無線インタフェース部（以下、第３の無線Ｉ／Ｆ部とする）４４とを備えている。
【００３６】
無線制御部４１は、第１の無線Ｉ／Ｆ部４２、第２の無線Ｉ／Ｆ部４３および第３の無線Ｉ／Ｆ部４４を制御して、無線リソース管理装置１０との通信を行なうとともに、無線リソース管理装置１０から受信したハンドオーバーの制御を行なうためのコマンドを解析して、解析したコマンドにしたがって測定実施部４２−１，４３−１，４４−１に信号のレベル測定を指示する。
【００３７】
第１の無線Ｉ／Ｆ部４２は、第１の無線アクセスシステムの通信インタフェースを備えるとともに、無線制御部４１の指示に基づいて、測定実施部４２−１を用いて第１の無線アクセスシステムとの受信レベルなどの測定を行なう。測定実施部４２−１は、無線制御部４１の指示にしたがって、第１の無線アクセスシステムの基地局が送信する止まり木チャネルやパイロットチャネルなど通常のセルの選択に必要な信号のレベル測定を実施する。
【００３８】
第２の無線Ｉ／Ｆ部４３は、第２の無線アクセスシステムの通信インタフェースを備えるとともに、無線制御部４１の指示に基づいて、測定実施部４３−１を用いて第２の無線アクセスシステムとの受信レベルなどの測定を行なう。測定実施部４３−１は、無線制御部４１の指示にしたがって、第２の無線アクセスシステムの基地局が送信する止まり木チャネルやパイロットチャネルなど通常のセルの選択に必要な信号のレベル測定を実施する。
【００３９】
第３の無線Ｉ／Ｆ部４４は、第３の無線アクセスシステムの通信インタフェースを備えるとともに、無線制御部４１の指示に基づいて、測定実施部４４−１を用いて第３の無線アクセスシステムとの受信レベルなどの測定を行なう。測定実施部４４−１は、無線制御部４１の指示にしたがって、第３の無線アクセスシステムの基地局のビーコンなど通常のセルの選択に必要な信号のレベル測定を実施する。
【００４０】
つぎに、図１１〜図１５を参照して、この発明における無線通信システム全体の動作を説明する。図１に示したように、無線通信端末４０は、第１の無線アクセスシステムのセル３０−１，３０−２、第２の無線アクセスシステムのセル３２−１，３２−２および第３の無線アクセスシステムのセル３４−１の通信ゾーン内の位置しており、セル３０−１を通信ゾーンとする基地局３１−１を介して通信を行なっているものとする。
【００４１】
無線リソース管理装置１０は、周辺セルの測定を指示する測定制御コマンドをトランスポートネットワーク５０と基地局３１−１とを介して無線通信端末４０に送信する（Ｓ１００）。
【００４２】
無線通信端末４０は、測定制御コマンドの内容にしたがって、周辺セルの受信レベルの測定を実施する（Ｓ１０１）。測定制御コマンドには、無線通信端末４０が現在通信に使用している無線アクセスシステムの周辺セルの情報に加え、他の無線アクセスシステムの周辺セルの情報（無線アクセスシステムで使用している周波数、セルまたはアクセスポイントの識別子など）と、各セル毎に無線リソース管理装置１０に報告するか否かを決定する報告閾値とが含まれている。無線通信端末４０は、これらのセルの信号の受信レベルを測定し、報告閾値以上の受信レベルのセルがあった場合、測定結果レスポンスを無線リソース管理装置１０に送信する（Ｓ１０２）。測定した各受信レベルがそれぞれの報告閾値より小さい場合、無線通信端末４０は、測定結果の報告を行なわない。
【００４３】
測定結果レスポンスを受信すると、無線リソース管理装置１０は、各セル毎に予め定められた算出式に基づいて通信適正度を算出し、各セル毎の通信適正度を比較する。無線リソース管理装置１０は、比較の結果、現在無線通信端末４０が通信に使用している無線アクセスシステムのセルより通信適正度が大きな無線アクセスシステムのセルがある場合、通信適正度が大きな無線アクセスシステムのセルへのハンドオーバーを決定する（Ｓ１０３）。この場合、現在無線通信端末４０が使用している第１の無線アクセスシステムのセル３０−１よりも第１の無線アクセスシステムのセル３０−２の通信適正度が大きいので、無線リソース管理装置１０は、セル３０−１からセル３０−２へのハンドオーバーを決定する。そして、切替え先のセル３０−２を通信ゾーンとする基地局３１−２に無線通信端末４０用の無線チャネルの設定を指示するチャネル設定指示を送信する（Ｓ１０４）。
【００４４】
基地局３１−２は、チャネル設定指示に基づいて無線通信端末４０用のチャネル設定を行なう（Ｓ１０５）。
【００４５】
無線リソース管理装置１０は、現在無線通信端末４０が通信している基地局３１−１を介して無線通信端末４０に、切替え先のチャネル情報などを含んだ第１の無線アクセスシステム内のハンドオーバーを指示するシステム内ハンドオーバー指示を送信する（Ｓ１０６）。
【００４６】
無線通信端末４０は、システム内ハンドオーバー指示に設定されている情報を用いて現在通信している第１の無線アクセスシステムのセル３０−２の基地局３１−２との間で無線チャネルを設定する（Ｓ１０７）。そして、基地局３１−２を介して、基地局３１−１から基地局３１−２へのハンドオーバーが完了したことを通知するハンドオーバー完了通知を無線リソース管理装置１０に送信する（Ｓ１０８）。
【００４７】
無線リソース管理装置１０は、基地局３１−１と無線通信端末４０との無線チャネルを開放するためのチャネル開放指示を基地局３１−１に送信する（Ｓ１０９）。基地局３１−１は、チャネル開放指示に基づいて、無線通信端末４０との無線チャネルを開放する（Ｓ１１０）。
【００４８】
無線リソース管理装置１０は、基地局３１−２を介して新たな測定制御コマンドを無線通信端末４０に送信する（Ｓ１１１）。
【００４９】
無線通信端末４０は、測定制御コマンドの内容にしたがって、周辺セルの受信レベルの測定を実施する（Ｓ１１２）。測定制御コマンドには、無線通信端末４０が現在通信に使用している無線アクセスシステムの周辺セルの情報に加え、他の無線アクセスシステムの周辺セルの情報と、各セル毎に無線リソース管理装置１０に報告するか否かを決定する報告閾値などが含まれている。
【００５０】
図１２は、無線リソース管理装置１０が、基地局３１−２を介して無線通信端末４０に送信した測定制御コマンドの情報要素のうち、システム間測定制御情報の一例を示している。システム間測定制御情報は、測定する無線アクセスシステムのセルの数である情報要素数と、各無線アクセスシステム毎の無線アクセスシステムのシステムを示す無線アクセスシステムタイプ、セルを識別するためのセルＩＤ、周波数コードおよび報告情報として報告閾値を含むシステム固有情報とで構成されている。
【００５１】
無線通信端末４０は、測定制御コマンドの内容にしたがって、周辺セルの受信レベルの測定を実施する（Ｓ１１２）。この場合、測定制御コマンドには、現在無線通信端末４０が通信している第１の無線アクセスシステムのセル３０−１の情報に加えて、図１２に示したように、第２の無線アクセスシステムのセル３２−２（システム＝ＧＳＭ、セルＩＤ＝Ｂ２）と、第２の無線アクセスシステムのセル３２−１（システム＝ＧＳＭ、セルＩＤ＝Ｂ１）と、第３の無線アクセスシステムのセル３４−１（システム＝８０２．１１ｂ、ＡＰＩＤ＝Ｃ１）と、第３の無線アクセスシステムのセル３４−２（システム＝８０２．１１ｂ、ＡＰＩＤ＝Ｃ２）とが含まれている。これら４つのセルを含む受信レベルを測定する。測定の結果がシステム固有情報の閾値以上の場合、無線通信端末４０は、測定結果レスポンスを無線リソース管理装置１０に送信する（Ｓ１１３）。
【００５２】
図１３は、無線通信端末４０が基地局３１−２を介して無線リソース管理装置１０に送信した測定結果レスポンスの情報要素のうち、システム間測定結果情報の一例を示している。システム間結果制御情報には、測定の結果が図１２に示したシステム間測定制御情報内の閾値以上であった無線アクセスシステムのセル数とセルＩＤと周波数数コードと受信レベルとが含まれている。図１３の場合には、第２の無線アクセスシステムのセル３２−２の周波数コードと測定した受信レベル、および第３の無線アクセスシステムのセル３４−１の周波数コードと測定した受信レベルとが含まれている。
【００５３】
測定結果レスポンスを受信すると、無線リソース管理装置１０は、各セル毎に予め定められた算出式に基づいて通信適正度を算出し、各セル毎の通信適正度を比較する。無線リソース管理装置１０は、比較の結果、現在無線通信端末４０が通信に使用している無線アクセスシステムのセルより通信適正度が大きな無線アクセスシステムのセルがある場合、通信適正度が大きな無線アクセスシステムのセルへのハンドオーバーを決定する（Ｓ１１４）。この場合、現在無線通信端末４０が使用している第２の無線アクセスシステムのセル３０−２よりも第３の無線アクセスシステムのセル３４−１の通信適正度が大きいので、無線リソース管理装置１０は、セル３０−２からセル３４−１へのハンドオーバーを決定する。
【００５４】
この場合、第３の無線アクセスシステムは、無線ＬＡＮである。したがって、予め無線チャネルの設定が不要であるため、基地局３５−１に対して無線通信端末４０用の無線チャネルの設定を指示する必要はない。
【００５５】
無線リソース管理装置１０は、現在無線通信端末４０が通信している基地局３１−２を介して無線通信端末４０に、切替え先のセル情報などを含んだ第３の無線アクセスシステムのセル３４−１へのハンドオーバーを指示するシステム間ハンドオーバー指示を送信する（Ｓ１１５）。
【００５６】
無線通信端末４０は、システム間ハンドオーバー指示に設定されている情報を用いて現在通信している第３の無線アクセスシステムのセル３４−１の基地局３５−１との間でアソシエーションを設定して、ハンドオーバー処理を行う（Ｓ１１６）。そして、基地局３５−１を介してハンドオーバーが完了したことを通知するハンドオーバー完了通知を無線リソース管理装置１０に送信する（Ｓ１１７）。
【００５７】
無線リソース管理装置１０は、基地局３１−２と無線通信端末４０との無線チャネルを開放するためのチャネル開放指示を基地局３１−２に送信する（Ｓ１１８）。基地局３１−２は、チャネル開放指示に基づいて、無線通信端末４０との無線チャネルを開放する（Ｓ１１９）。
【００５８】
無線リソース管理装置１０は、基地局３５−１を介して、現在無線通信端末４０が使用している第３の無線アクセスシステムのセル３４−１のセルの情報に加えて、図１４に示すシステム間測定制御情報を含む新たな測定制御コマンドを無線通信端末４０に送信する（Ｓ１２０）。
【００５９】
無線通信端末４０は、測定制御コマンドの内容にしたがって、周辺セルの受信レベルの測定を実施する（Ｓ１２１）。この場合、図１４に示したシステム間測定制御情報には、第２の無線アクセスシステムのセル３２−２（システム＝ＧＳＭ、セルＩＤ＝Ｂ２）と、第２の無線アクセスシステムのセル３２−１（システム＝ＧＳＭ、セルＩＤ＝Ｂ１）と、第１の無線アクセスシステムのセル３０−２（システム＝Ｗ−ＣＤＭＡ、セルＩＤ＝Ａ２）と、第１の無線アクセスシステムのセル３０−１（システム＝Ｗ−ＣＤＭＡ、セルＩＤ＝Ａ１）とが含まれている。無線通信端末４０は、これら４つのセルのレベルを測定する。そして、測定の結果がシステム固有情報の閾値以上の場合、図１５に示すシステム間測定結果情報を含む測定結果レスポンスを無線リソース管理装置１０に送信する（Ｓ１２２）。
【００６０】
図１５に示したシステム間結果制御情報には、測定の結果が図１４に示したシステム間測定制御情報内の閾値以上であった第２の無線アクセスシステムのセル３２−２の周波数コードと測定した受信レベル、および第１の無線アクセスシステムのセル３０−２の周波数コードとスクランプルコードと測定した受信レベルとが含まれている。
【００６１】
無線リソース管理装置１０は、測定結果レスポンスに基づいて、上述したように各無線アクセスシステムの各セル毎に通信適正度を算出して、最適な無線アクセスシステムとそのセルを選択する動作を繰り返す。
【００６２】
つぎに、図１６および図１７のフローチャートを参照して、無線通信端末４０が測定制御コマンドに基づいて各セルの受信レベルを測定し、無線リソース管理装置１０が測定結果レスポンスに基づいてハンドオーバーを行なうか否かを決定するハンドオーバー制御の動作を説明する。
【００６３】
まず、図１６のフローチャートを参照して、無線通信端末４０が受信レベルを測定する動作を説明する。ここで、図１に示したように、無線通信端末４０は、第１の無線アクセスシステムのセル３０−１，３０−２、第２の無線アクセスシステムのセル３２−１，３２−２および第３の無線アクセスシステムのセル３４−１の通信ゾーン内の位置しており、第１の無線Ｉ／Ｆ部４２を用いてセル３０−１を通信ゾーンとする基地局３１−１を介して通信を行なっているものとする。
【００６４】
無線リソース管理装置１０から送信された測定制御コマンドを受信すると、第１の無線Ｉ／Ｆ部４２は、測定制御コマンドを無線制御部４１に通知する。無線制御部４１は、受信した測定制御コマンドの内容を解析する。そして、解析した測定制御コマンドの内容にしたがって、第１の無線Ｉ／Ｆ部４２の測定実施部４２−１、第２の無線Ｉ／Ｆ部４３の測定実施部４３−１、第３の無線Ｉ／Ｆ部４４の測定実施部４４−１に各無線アクセスシステムのセルの受信レベルの測定を指示する（ステップＳ２００）。
【００６５】
具体的には、たとえば、測定制御コマンドには、現在無線通信端末４０が使用している第１の無線アクセスシステムのセル３０−１，３０−２のセルの情報に加え、図１２に示したシステム間測定制御情報が含まれているとする。無線制御部４１は、第１の無線アクセスシステムのセル３０−１，３０−２の受信レベルを測定するように、第１の無線Ｉ／Ｆ部４２の測定実施部４２−１に受信レベルの測定を指示する。また、図１２に示したシステム間測定制御情報には、第２の無線アクセスシステムのセル３２−２，３２−１、第３の無線アクセスシステムのセル３４−１、３４−２の周波数コードが含まれている。無線制御部４１は、指定された周波数コードの受信レベルを測定するように、第２の無線Ｉ／Ｆ部４３の測定実施部４３−１と第３の無線Ｉ／Ｆ部４４の測定実施部４４−１とに受信レベルの測定を指示する。
【００６６】
無線制御部４１の指示にしたがって、測定実施部４２−１は、第１の無線アクセスシステムのセル３０−１，３０−２の受信レベルを、測定実施部４３−１は、第２の無線アクセスシステムのセル３２−１，３２−２の受信レベルを、測定実施部４４−１は、第３の無線アクセスシステムのセル３４−１，３４−２の受信レベルをそれぞれ測定する（ステップＳ２１０）。測定実施部４２−１，４３−１，４４−１は、測定した各セルの測定結果と測定制御コマンドにより各セル毎に指定された報告閾値とを比較する（ステップＳ２２０）。比較の結果、閾値以上の受信レベルのセルがあった場合、測定実施部４２−１，４３−１，４４−１は、閾値以上の受信レベルのセルを無線制御部４１に通知する。たとえば、第２の無線アクセスシステムのセル３２−２の受信レベルと第３の無線アクセスシステムのセル３４−１の受信レベルとが閾値以上であった場合、測定実施部４３−１，４４−１は、それぞれ閾値以上の受信レベルを得たことを無線制御部４１に通知する。
【００６７】
測定実施部４２−１，４３−１，４４−１の何れかから受信レベルの通知を受けて無線リソース管理装置１０に報告の必要がある場合（ステップＳ２３０，Ｙｅｓ）、無線制御部４１は、各無線アクセスシステムの測定結果をシステム間測定結果情報としてまとめる。この場合、測定実施部４３−１，４４−１から通知を受けているので、無線制御部４１は、それぞれの測定結果から図１３に示したように第２の無線アクセスシステムのセル３２−２と第３の無線アクセスシステムのセル３４−１の測定結果を含むシステム間測定結果情報を生成する。そして、生成したシステム間測定結果情報を含む測定結果レスポンスを現在使用している第１の無線アクセスシステムのインタフェースを有する第１の無線Ｉ／Ｆ部４２を用いてリソース管理部１２に送信する（ステップＳ２４０）。
【００６８】
測定実施部４２−１，４３−１，４４−１のどれからも受信レベルの通知がない場合（ステップＳ２３０，Ｎｏ）、無線制御部４１は、無線リソース管理装置１０に報告するものがないので、処理を終了する。
【００６９】
つぎに、図１７のフローチャートを参照して、無線リソース管理装置１０が無線通信端末４０から受信した測定結果レスポンスに基づいてハンドオーバーを行かを決定するハンドオーバー制御の動作を説明する。
【００７０】
リソース管理部１２は、データベースＩ／Ｆ部１４を介してデータベース２０から読み出した無線アクセスシステム情報に基づいて測定制御コマンドを生成する。ネットワークＩ／Ｆ部１３は、測定制御コマンドを無線通信端末４０に送信する。測定制御コマンドは、無線通信端末４０が移動体通信システムである第１の無線通信システムおよび第２の無線通信システムを使用している場合には、制御チャネルを用いて送信する。
【００７１】
測定制御コマンドに基づいて無線通信端末４０が測定した受信レベルを含む測定結果レスポンスを受信すると（ステップＳ３００）、ネットワークＩ／Ｆ部１３は、受信した測定結果レスポンスをリソース管理部１２に通知する。
【００７２】
リソース管理部１２は、データベースＩ／Ｆ部１４を介してデータベース２０に記憶されている無線リソース情報を読み出す。データベース２０には、図３に示すような受信レベル、図４に示すようなセルの負荷、図５に示すような各無線アクセスシステムの通信レート、図６に示すような各無線アクセスシステムの平均トラヒック、図７に示すような各無線アクセスシステムのＱｏＳクラス、図８に示すようなセルサイズ、および図９に示すように同一システムの相互に隣接するグループのサイズが記憶されている。リソース管理部１２は、これらの無線リソース情報と測定結果レスポンス内の含まれるシステム間測定結果情報とに基づいて、各セルごとの通信適正度を算出して、算出した通信適正度をハンドオーバー制御部１１に通知する（ステップＳ３１０）。
【００７３】
通信適正度は、下記の式で算出する。
2004349976.tif 000003
【００７４】
［Ｌｅｖｅｌ］には、システム間測定結果情報内の受信レベルを５段階に分類して、図３に示した受信レベルのランクに対応した適正度を代入する。［Ｌｏａｄ］には、予め定義されている各無線アクセスシステムの負荷に基づいて図４に示した負荷から得た適正度の値を代入する。［ＭａｘＲａｔｅ］には、無線通信端末４０の最大通信速度に基づいて図５に示した通信レートから得た適正度の値を代入する。［Ｔｒａｆｆｉｃ］には、トランスポートネットワーク５０内の機器あるいは無線通信端末４０の測定結果レスポンス内に平均トラヒックを含ませておき、その結果に基づいて図６に示した平均トラヒックから得た適正度の値を代入する。［ＱｏＳ］には、無線通信端末４０が通信している呼のＱｏＳクラスに対応する適正度を図７に示したＱｏＳクラスから得た値を代入する。［ＳｉｚｅＭ］には、セルサイズと無線通信端末４０の移動速度に基づいて、図８に示したセルサイズから得た適正度の値を代入する。［ＧｓｉｚｅＭ］には、予め定められている同一システムの相互に隣接するセルグループのセルグループサイズと無線通信端末４０の移動速度に基づいて、図９に示したセルグループと移動速度から得た適正度の値を代入する。Ｗ１〜Ｗ７は、各適正度に関する重み係数であり、無線アクセスシステム毎にリソース管理部１２に予め保持しておく。なお、無線通信端末４０の通信速度は、ＧＰＳ（Ｇｌｏｂａｌ  Ｐｏｓｉｔｉｏｎｉｎｇ  Ｓｙｓｔｅｍ：全地球無線測位システム）やフェージングピッチなど本発明の対象外である方法によって無線通信端末４０もしくは無線リソース管理装置１０が算出する。無線通信端末４０が算出した場合には、算出した通信速度を測定結果レスポンス内の含んでおけばよい。
【００７５】
ここで、各無線アクセスシステムとも受信レベルは「ランク４」、各無線アクセスシステムともセル負荷は「３０％」、無線通信端末４０の最大通信レートは「３８４ｋｂｐｓ」、平均トラヒックは「１２８ｋｂｐｓ」、ＱｏＳクラスは「Ｂａｃｋｇｒｏｕｎｄ」、移動速度は「低速」とする。また、第１の無線アクセスシステムであるＷ−ＣＤＭＡのセルサイズは「中」、第２の無線アクセスシステムであるＧＳＭ／ＧＰＲＳのセルサイズは「大」、第３の無線アクセスシステムである無線ＬＡＮのセルサイズは「小」とし、セルグループサイズは、Ｗ−ＣＤＭＡが「大」、ＧＳＭ／ＧＰＲＳが「大」、無線ＬＡＮが「小」とする。さらに、重み付け係数Ｗ１〜Ｗ７は全ての無線アクセスシステムとも「１」とする。これらの条件にもとづいて図３〜図９に示した無線リソース情報から各項目の適正度を式（１）に代入して算出した各無線アクセスシステムに対する通信適正度は、
Ｗ−ＣＤＭＡの通信適正度＝７＋１０＋５＋５＋５＋８＋１０＝５０
ＧＳＭ／ＧＰＲＳの通信適正度＝７＋１０＋０＋０＋１＋１０＋１０＝３８
無線ＬＡＮの通信適正度＝７＋１０＋２０＋１０＋２０＋５＋５＝７７
となる。
【００７６】
また、ＱｏＳクラスが「ｃｏｎｖｅｒｓａｔｉｏｎａｌ」の場合には、各無線アクセスシステムに対する通信適正度は、
Ｗ−ＣＤＭＡの通信適正度＝７＋１０＋５＋５＋２０＋８＋１０＝６５
ＧＳＭ／ＧＰＲＳの通信適正度＝７＋１０＋０＋０＋１５＋１０＋１０＝５２
無線ＬＡＮの通信適正度＝７＋１０＋２０＋１０＋１＋５＋５＝５８
となる。
【００７７】
ここで、ＧＳＭ／ＧＰＲＳの通信適正度を算出した際の、通信レートの適正度と平均トラヒックの適正度は“０”となっている。このように、式（１）の項目の適正度に“０”がある場合は、その無線アクセスシステムへのハンドオーバーは不可能であるため、比較の対象から除外する。したがって、この場合、リソース管理部１２は、第１の無線アクセスシステムのＷ−ＣＤＭＡの通信適正度と第３の無線アクセスシステムである無線ＬＡＮの通信適正度とをハンドオーバー制御部１１に通知する。
【００７８】
ハンドオーバー制御部１１は、算出した各無線アクセスシステムのセルの通信適正度を比較して、各無線アクセスシステムのセルの通信適正度の順位付けを行なう（ステップＳ３２０）。そして、通信適正度の順位が最も大きい無線アクセスシステムのセルを選択して、選択した無線アクセスシステムへのハンドオーバーを決定する。
【００７９】
決定した無線アクセスシステムが現在使用している無線アクセスシステムと異なる無線アクセスシステムである場合、すなわち、システム間のハンドオーバーである場合には（ステップＳ３３０，Ｙｅｓ）、ハンドオーバー制御部１１は、ネットワークＩ／Ｆ部１３を介して切替え先のチャネル情報などを含んだ切替え先の無線アクセスシステムのセルへのハンドオーバーを指示するシステム間ハンドオーバー指示を無線通信端末４０に送信して、システム間ハンドオーバー処理を行う（ステップＳ３４０）。
【００８０】
決定した無線アクセスシステムが現在使用している無線アクセスシステムと同一の無線アクセスシステムである場合、すなわち、システム内のハンドオーバーである場合には（ステップＳ３３０，Ｎｏ，ステップＳ３５０，Ｙｅｓ）、ハンドオーバー制御部１１は、ネットワークＩ／Ｆ部１３を介して切替え先のチャネル情報などを含んだ切替え先の無線アクセスシステムのセルへのハンドオーバーを指示するシステム内ハンドオーバー指示を無線通信端末４０に送信して、システム間ハンドオーバー処理を行う（ステップＳ３６０）。
【００８１】
決定した無線アクセスシステムのセルが現在使用しているセルと同じ場合には、ハンドオーバー処理を行う必要がないので、そのまま処理を終了する（ステップＳ３５０，Ｎｏ）。
【００８２】
このように本実施の形態では、無線リソース管理装置が、システム構成の異なる複数の無線アクセスシステムがそれぞれ使用する周波数、各セルを識別する識別子および報告閾値を含む無線アクセスシステム情報と、無線通信端末が使用する無線アクセスシステムを選択する基準となる通信適正度を算出するための無線リソース情報とを無線アクセスシステムごとに統一的に管理して、無線アクセスシステム情報に基づいて無線通信端末に各無線アクセスシステムのセルの受信レベルの測定を指示し、無線通信端末が測定した受信レベルと無線リソース情報とに基づいて、各セルの通信適正度を算出してハンドオーバーを行うかを決定するようにしているため、無線通信端末は、無線リソース管理装置から指示された無線アクセスシステムの受信レベルを測定するだけでよく、効率的に受信レベルの測定をおこなうことができる。
【００８３】
また、無線リソース情報として、各無線アクセスシステムのセル毎のセルの負荷情報、呼の通信品質情報、前記無線通信端末の移動速度とセル領域のサイズ、受信レベル、通信レートおよび平均トラヒックに対してそれぞれに適正度を設定しておき、リソース管理部は、それぞれの適正度に対して異なる無線アクセスシステム毎に重み付けを行った後に、それぞれの適正度を加算して通信適正度を算出するようにしているため、各無線アクセスシステムの測定情報、負荷状況、無線端末の通信レートやアプリケーション属性、移動速度、セルのサイズなどの各無線アクセスシステムの特性をも考慮した統一した基準でハンドオーバーを行うセルを決定することができる。
【００８４】
さらに、無線リソース装置と無線通信端末との通信を、現在無線通信端末が使用している無線アクセスシステムを用いて行い、測定制御コマンドに、異なる無線アクセスシステムの測定を行う無線アクセスシステム情報を含むようにしているため、短時間でハンドオーバーを実行することができる。
【００８５】
なお、本実施の形態では、各無線アクセスシステムの各基地局は共通のトランスポートネットワークを介して無線リソース管理装置に接続するようにしたが、無線アクセスシステムごとに個別のトランスポートネットワークを使用してもよいし、各基地局をそれぞれ直接無線リソース管理装置に接続するようにしてもよい。
【００８６】
また、データベースに記憶される図３〜図９に示した無線リソース情報は、適正度を３〜５レベルの例を上げて説明したが、これらは、本実施の形態の一例であり、各無線リソース情報の適正度をより多くのレベルに分けて記憶するようにしてもよく、各無線リソース情報の適正度の値もこれらの値に固定されるものではなく、無線アクセスシステムの設計にしたがって適応的に変更することが可能である。
【００８７】
【発明の効果】
以上説明したように、この発明にかかる無線通信システムによれば、無線リソース管理装置が、システム構成の異なる複数の無線アクセスシステムがそれぞれ使用する周波数、各セルを識別する識別子および報告閾値を含む無線アクセスシステム情報と、無線通信端末が使用する無線アクセスシステムを選択する基準となる通信適正度を算出するための無線リソース情報とを無線アクセスシステムごとに統一的に管理して、無線アクセスシステム情報に基づいて無線通信端末に各無線アクセスシステムのセルの受信レベルの測定を指示し、無線通信端末が測定した受信レベルと無線リソース情報とに基づいて、各セルの通信適正度を算出してハンドオーバーを行うかを決定するようにしているため、無線通信端末は、無線リソース管理装置から指示された無線アクセスシステムの受信レベルを測定するだけでよく、効率的に受信レベルの測定をおこなうことができるとともに、各無線通信システムを統一した基準で比較してハンドオーバーの制御を行うことができる。
【図面の簡単な説明】
【図１】この発明における本実施の形態の無線通信システムの構成を示すブロック図である。
【図２】図１に示した無線リソース管理装置の構成を示すブロック図である。
【図３】図１に示したデータベースに記憶されている無線リソース情報である受信レベルの適正度の一例を示す図である。
【図４】図１に示したデータベースに記憶されている無線リソース情報である負荷の適正度の一例を示す図である。
【図５】図１に示したデータベースに記憶されている無線リソース情報である通信レートの適正度の一例を示す図である。
【図６】図１に示したデータベースに記憶されている無線リソース情報である平均トラヒックの適正度の一例を示す図である。
【図７】図１に示したデータベースに記憶されている無線リソース情報であるＱｏＳクラスの適正度の一例を示す図である。
【図８】図１に示したデータベースに記憶されている無線リソース情報であるセルサイズと移動速度の適正度の一例を示す図である。
【図９】図１に示したデータベースに記憶されている無線リソース情報であるセルグループサイズと移動速度の適正度の一例を示す図である。
【図１０】図１に示した無線通信端末の構成を示すブロック図である。
【図１１】この発明における本実施の形態の無線通信システムの動作を説明するためのシーケンス図である。
【図１２】無線リソース管理装置が無線通信端末に送信する測定制御コマンドに含まれるシステム間測定制御情報の一例を示す図である。
【図１３】無線通信端末が無線リソース管理装置に送信する測定結果レスポンスに含まれるシステム間測定結果情報の一例を示す図である。
【図１４】無線リソース管理装置が無線通信端末に送信する測定制御コマンドに含まれるシステム間測定制御情報の一例を示す図である。
【図１５】無線通信端末が無線リソース管理装置に送信する測定結果レスポンスに含まれるシステム間測定結果情報の一例を示す図である。
【図１６】無線通信端末が測定制御コマンドに基づいて各セルの受信レベルを測定する動作を説明するためのフローチャートである。
【図１７】無線リソース管理装置が測定結果レスポンスに基づいてハンドオーバーを行かを決定する動作を説明するためのフローチャートである。
【符号の説明】
１０  無線リソース管理装置、１１  ハンドオーバー制御部、１２  リソース管理部、１３  ネットワークＩ／Ｆ部、１４  データベースＩ／Ｆ部、２０  データベース、３０−１，３０−２  第１の無線アクセスシステムのセル、３１−１，３１−２  第１の無線アクセスシステムの基地局、３２−１，３２−２  第２の無線アクセスシステムのセル、３３−１，３３−２  第２の無線アクセスシステムの基地局、３４−１，３４−２  第３の無線アクセスシステムのセル、３５−１，３５−２  第３の無線アクセスシステムの基地局、４０  無線通信端末、４１  無線制御部、４２  第１の無線Ｉ／Ｆ部、４２−１，４３−１，４４−１  測定実施部、４３  第２の無線Ｉ／Ｆ部、４４  第３の無線Ｉ／Ｆ部、５０トランスポートネットワーク。
【図１】
2004349976.tif 000004
【図２】
2004349976.tif 000005
【図３】
2004349976.tif 000006
【図４】
2004349976.tif 000007
【図５】
2004349976.tif 000008
【図６】
2004349976.tif 000009
【図７】
2004349976.tif 000010
【図８】
2004349976.tif 000011
【図９】
2004349976.tif 000012
【図１０】
2004349976.tif 000013
【図１１】
2004349976.tif 000014
【図１２】
2004349976.tif 000015
【図１３】
2004349976.tif 000016
【図１４】
2004349976.tif 000017
【図１５】
2004349976.tif 000018
【図１６】
2004349976.tif 000019
【図１７】
2004349976.tif 000020